(57)【要約】  【課題】  電気接続箱同士を連結するロック部の形状を改良することにより、一方の電気接続箱を他方の電気接続箱に対して傾斜させた状態で連結する。  【解決手段】  第１電気接続箱のケース外面にロック爪と、該ロック爪を囲む下面開口のボックス状の第１ロックカバーが一体成形で設けられ、該第１ロックカバーの両側壁は先端縁を第２電気接続箱の傾斜角度に対応させて傾斜させると共に該両側壁および上壁に連続する突出壁も傾斜させる一方、第２電気接続箱のケース外面に、第１電気接続箱の第１ロックカバーと嵌合する上面開口のボックス状の第２ロックカバーが一体成形で設けられ、該第２ロックカバーの底壁及び両側壁に連続する突出側壁は第１電気接続箱のケース外面と平行となる角度に設定されていると共に、該突出側壁に第１電気接続箱のロック爪が係止される被ロック爪が設けられている。  【選択図】  図５
2006280032.tif 000002
【特許請求の範囲】
【請求項１】
自動車に搭載される第１電気接続箱と第２電気接続箱とを、第１電気接続箱に対して第２電気接続箱を傾斜させて連結する電気接続箱の連結構造であって、
前記第１電気接続箱のケース外面にロック爪と、該ロック爪を囲む下面開口のボックス状の第１ロックカバーが一体成形で設けられ、該第１ロックカバーの両側壁は先端縁を前記第２電気接続箱の傾斜角度に対応させて傾斜させると共に該両側壁および上壁に連続する突出壁も傾斜させる一方、
前記第２電気接続箱のケース外面に、前記第１電気接続箱の第１ロックカバーと嵌合する上面開口のボックス状の第２ロックカバーが一体成形で設けられ、該第２ロックカバーの底壁及び両側壁に連続する突出側壁は前記第１電気接続箱のケース外面と平行となる角度に設定されていると共に、該突出側壁に前記第１電気接続箱のロック爪が係止される被ロック爪が設けられ、
前記第１ロックカバーと第２ロックカバーとを嵌合させると、第２ロックカバーの突出側壁が第１電気接続箱のケース外面と当接すると共に、前記ロック爪が前記被ロック爪に係止されて前記第１電気接続箱に対して第２電気接続箱が傾斜状態で連結されることを特徴とする電気接続箱の連結構造。
【請求項２】
前記第１ロックカバーの両側壁が第２ロックカバーの両側壁に外嵌され、かつ、第１ロックカバーの突出壁が第２ロックカバー内に上面開口から挿入され、該突出壁に突設したリブが第２電気接続箱のケース側壁に設けた溝に嵌合される構成としている請求項１に記載の電気接続箱の連結構造。
【請求項３】
前記第２ロックカバーの突出側壁は、複数本のリブと該リブの内側端面を連結する内部傾斜壁とからなり、該内部傾斜壁に前記被ロック爪が設けられ、該内部傾斜壁は前記第１ロックカバーの傾斜した突出壁と当接される請求項１または請求項２に記載の電気接続箱の連結構造。
【発明の詳細な説明】
【技術分野】
【０００１】
本発明は、電気接続箱の連結構造に関し、詳しくは、一方の電気接続箱を他方の電気接続箱に対して傾斜させた状態で連結するものである。
【背景技術】
【０００２】
従来、異なる２つの電気接続箱のケース外面にそれぞれロック部を一体成形で設け、これらロック部をロック結合することにより２つの電気接続箱を連結するものがある。
本出願人は、特開２００４−１５９５８号（特許文献１）等において、このような電気接続箱の連結構造を提供しており、図６に示すように、第１電気接続箱１のケース外面１ａに一体成形で設けた樹脂製のロック部２と第２電気接続箱３のケース外面３ａに一体成形で設けた樹脂製のロック部４とをロック結合して第１電気接続箱１と第２電気接続箱３とをロック結合している。詳細には、図６（Ｂ）に示すように、ロック部２、４に設けた突出側壁２ａ、４ａをそれぞれ相手方のロック部４、２内に挿入し、突出側壁２ａ、４ａに設けたロック爪２ｂと４ｂとを係止させている。
【０００３】
図６（Ｂ）に示すように、相手方のロック部４、２内に挿入する突出側壁２ａ、４ａは、ロック部２、４を設けたケース外面１ａ、３ａに対して平行に設けられているため、図６（Ａ）に示すように、電気接続箱１と３とは平行に並べた状態で連結される。よって、電気接続箱を搭載する車両スペースの問題上、一方の電気接続箱を他方の電気接続箱に対して傾斜させた状態でロック結合しなければならない場合には、前記のようなロック構造では、ロック部２、４の突出側壁２ａ、４ａを相手方のロック部４、２内に挿入しにくい問題がある。また、突出側壁２ａ、４ａを相手方のロック部４、２内に挿入してロック部２と４を係止できたとしても、突出側壁２ａが電気接続箱３のケース外面３ａに対して傾くため、突出側壁２ａとケース外面３ａとを当接させることができず、電気接続箱１が電気接続箱３に対してガタつき、安定した状態で連結することができない問題がある。
【０００４】
そこで、電気接続箱同士の連結に別体の金属ブラケットを用い、該金属ブラケットに設けた取付部を、該取付部に係止される相手方の電気接続箱の角度に合わせて傾斜させておくことにより、一方の電気接続箱を他方の電気接続箱に対して傾斜させた状態でロック結合することが考えられる。
しかしながら、電気接続箱同士の連結に別体の金属ブラケットを用いると、コスト高になると共に電気接続箱が重量化する問題がある。
【０００５】
【特許文献１】特開２００４−１５９５８号公報
【発明の開示】
【発明が解決しようとする課題】
【０００６】
本発明は前記問題に鑑みてなされたものであり、電気接続箱同士を連結するロック部の形状を改良することにより、一方の電気接続箱を他方の電気接続箱に対して傾斜させた状態で連結することを課題としている。
【課題を解決するための手段】
【０００７】
前記課題を解決するため、本発明は、自動車に搭載される第１電気接続箱と第２電気接続箱とを、第１電気接続箱に対して第２電気接続箱を傾斜させて連結する電気接続箱の連結構造であって、
前記第１電気接続箱のケース外面にロック爪と、該ロック爪を囲む下面開口のボックス状の第１ロックカバーが一体成形で設けられ、該第１ロックカバーの両側壁は先端縁を前記第２電気接続箱の傾斜角度に対応させて傾斜させると共に該両側壁および上壁に連続する突出壁も傾斜させる一方、
前記第２電気接続箱のケース外面に、前記第１電気接続箱の第１ロックカバーと嵌合する上面開口のボックス状の第２ロックカバーが一体成形で設けられ、該第２ロックカバーの底壁及び両側壁に連続する突出側壁は前記第１電気接続箱のケース外面と平行となる角度に設定されていると共に、該突出側壁に前記第１電気接続箱のロック爪が係止される被ロック爪が設けられ、
前記第１ロックカバーと第２ロックカバーとを嵌合させると、第２ロックカバーの突出側壁が第１電気接続箱のケース外面と当接すると共に、前記ロック爪が前記被ロック爪に係止されて前記第１電気接続箱に対して第２電気接続箱が傾斜状態で連結されることを特徴とする電気接続箱の連結構造を提供している。
【０００８】
前記構成によれば、第１電気接続箱と第２電気接続箱のケース外面にそれぞれ一体成形で設けた第１ロックカバーと第２ロックカバーとを嵌合させると、ロック爪が被ロック爪に係止されて第１電気接続箱と第２電気接続箱とが連結される。このとき、第１電気接続箱のケース外面と平行となる角度で設けた第２ロックカバーの突出側壁が第１電気接続箱のケース外面と当接するため、第２電気接続箱を第１電気接続箱に対して傾斜させた状態で、かつ、第１電気接続箱と第２電気接続箱とをガタつきなく安定した状態で連結することができる。
また、第１電気接続箱の第１ロックカバーの突出壁を第２電気接続箱のケース外面に平行となるように設けているため、第２電気接続箱のケース外面に沿って第１電気接続箱を移動させることにより、第２電気接続箱のケース外面と第１ロックカバーの突出壁とが干渉することなく、第１ロックカバーと第２ロックカバーとを嵌合させて容易にロック結合することができる。
このように、第１電気接続箱と第２電気接続箱とをケース側壁から一体成形でそれぞれ設けたロックカバーにより傾斜状態で連結することができるため、傾斜状態で連結するために別体の金属ブラケットが不要となり、コスト増及び電気接続箱の重量化を防止することができる。
【０００９】
前記第１ロックカバーの両側壁が第２ロックカバーの両側壁に外嵌され、かつ、第１ロックカバーの突出壁が第２ロックカバー内に上面開口から挿入され、該突出壁に突設したリブが第２電気接続箱のケース側壁に設けた溝に嵌合される構成としていることが好ましい。
【００１０】
前記構成によれば、第１ロックカバーの両側壁が第２ロックカバーの両側壁に外嵌されると共に、第１ロックカバーの突出壁に突設したリブが第２電気接続箱のケース側壁に設けた溝に嵌合されるため、ロックカバーに対して左右方向へガタつくことなく安定した状態で第１電気接続箱と第２電気接続箱とを連結することができる。
【００１１】
また、前記第２ロックカバーの突出側壁は、複数本のリブと該リブの内側端面を連結する内部傾斜壁とからなり、該内部傾斜壁に前記被ロック爪が設けられ、該内部傾斜壁は前記第１ロックカバーの傾斜した突出壁と当接される構成としていることが好ましい。
前記構成によれば、第２ロックカバーの突出側壁の内部傾斜壁が第１ロックカバーの突出壁と当接することにより、第２ロックカバーの突出側壁は第１ロックカバーの突出壁と第１電気接続箱のケース外面によって挟持された状態となるため、第１電気接続箱と第２電気接続箱とをより安定した状態で連結することができる。
【発明の効果】
【００１２】
前述したように、本発明によれば、第１電気接続箱と第２電気接続箱のケース外面にそれぞれ一体成形で設けた第１ロックカバーと第２ロックカバーとを嵌合させると、ロック爪が被ロック爪に係止されて第１電気接続箱と第２電気接続箱とが連結される。このとき、第１電気接続箱のケース外面と平行となる角度で設けた第２ロックカバーの突出側壁が第１電気接続箱のケース外面と当接するため、第２電気接続箱を第１電気接続箱に対して傾斜させた状態で、かつ、第１電気接続箱と第２電気接続箱とをガタつきなく安定した状態で連結することができる。
また、第１電気接続箱のケース外面に設けた第１ロックカバーの突出壁を第２電気接続箱のケース外面に平行となるように設けているため、第２電気接続箱のケース外面と第１ロックカバーの突出壁とが干渉することなく、第１ロックカバーと第２ロックカバーとを嵌合させて容易にロック結合することができる。
このように、第１電気接続箱と第２電気接続箱とをケース側壁から一体成形でそれぞれ設けたロック部により傾斜状態で連結することができるため、傾斜状態で連結するために別体の金属ブラケットが不要となり、コスト増及び電気接続箱の重量化を防止することができる。
【発明を実施するための最良の形態】
【００１３】
本発明の実施形態を図面を参照して説明する。
図１乃至図５は、本発明の実施形態を示し、自動車に搭載する第１電気接続箱１０と第２電気接続箱２０は、ケース本体１１、２１のケース外面１１ａ、２１ａにそれぞれ一体成形で樹脂製のロック部が設けられており、該ロック部を介して第１電気接続箱１０に対して第２電気接続箱２０が傾斜状態で連結されている。
【００１４】
図３（Ｂ）及び図５（Ａ）に示すように、第１電気接続箱１０のケース本体１１のケース外面１１ａに上方に屈曲するＬ形状のロック片１２が一体成形で突設され、該ロック片１２の外面の所要箇所にロック爪１３が設けられている。また、ケース本体１１のケース外面１１ａにロック片１２とロック爪１３を囲む下面開口のボックス状の第１ロックカバー１４が一体成形で設けられている。第１ロックカバー１４は両側壁１４ａと、上壁１４ｂと、両側壁１４ａと上壁１４ｂに連続する突出壁１４ｃとからなる。第１ロックカバー１４の両側壁１４ａは先端縁１４ａ−１が第２電気接続箱２０の傾斜角度に対応させて傾斜させており、突出壁１４ｃも第２電気接続箱２０の傾斜角度に対応させて傾斜させている。
【００１５】
前記第１ロックカバー１４の突出壁１４ｃの外面には、突出壁１４ｃを後述する第２電気接続箱２０の第２ロックカバー２２への挿入方向に延在するリブ１４ｄが所要箇所に設けられている。また、突出壁１４ｃの両側壁１４ａと連続する境界位置には、下端からスリット状の切欠１４ｅが設けられている。
また、第１ロックカバー１４内にはロック片１２の両側にケース外面１１ａに平行な垂直壁１４ｆが設けられており、該垂直壁１４ｆの上端が上壁１４ｂの内面に連続していると共に、ロック片１２と反対側の側端が両側壁１４ａの内面に連続している。よって、第１ロックカバー１４内では、垂直壁１４ｆの外面が第１電気接続箱１０のケース外面に相当する。
【００１６】
第２電気接続箱２０のケース本体２１のケース外面２１ａには、第１電気接続箱１０の第１ロックカバー１４と嵌合する上面開口のボックス状の第２ロックカバー２２が一体成形で設けられている。該第２ロックカバー２２は両側壁２２ａと、底壁２２ｂと、両側壁２２ａと底壁２２ｂに連続する突出側壁２２ｃとからなる。両側壁２２ａの先端縁２２ａ−１は第１電気接続箱１０のケース外面１１ａと平行となる角度に設定されている。また、両側壁２２ａには上端から略Ｕ形状の切欠２２ｄが設けられており、該切欠２２ｄの端縁のうち、両側壁２２ａの先端側の端縁２２ｄ−１はケース本体２１のケース外面２１ａと平行となる角度に設定されている。
【００１７】
第２ロックカバー２２の両側壁２２ａと底壁２２ｂに連続する突出側壁２２ｃは、両側壁２２ａに設けた切欠２２ｄの端縁２２ｄ−１に沿って底壁２２ｂまで設けられた内部傾斜壁２２ｅと、該内部傾斜壁２２ｅの外面に突設されたリブ２２ｆとからなる。内部傾斜壁２２ｅは、ケース本体２１のケース外面２１ａと平行となる角度に設定されており、リブ２２ｆ間の上端外面に被ロック爪２２ｇが設けられている。また、リブ２２ｆの先端縁２２ｆ−１は両側壁２２ａの先端縁２２ａ−１と同一平面上、即ち、第１電気接続箱１０のケース外面１１ａと平行に設けられている。さらに、ケース本体２１のケース外面２１ａには、第２ロックカバー２２内に上下方向に延在するリブ２３が設けられており、ケース側壁にはリブ２３と両側壁２２ａとの間に溝２４が形成された状態となっている。
【００１８】
前記第２電気接続箱２０のケース外面２１ａに沿うように第１電気接続箱を移動させて、第１電気接続箱１０の第１ロックカバー１４と第２電気接続箱２０の第２ロックカバー２２とを嵌合させると、内部傾斜壁２２ｅに設けた被ロック爪２２ｇに第１電気接続箱１０のロック爪１３が係止されて第１電気接続箱１０に対して第２電気接続箱２０が傾斜状態で連結される。
このとき、第２ロックカバー２２の両側壁２２ａの先端縁２２ａ−１と内部傾斜壁２２ｅから突設したリブ２２ｆの先端縁２２ｆ−１が第１ロックカバー１４内に設けたケース外面に相当する垂直壁１４ｆの外面に当接する。
また、第２電気接続箱２０のケース本体２１のケース外面２１ａと平行に設けた第１ロックカバー１４の突出壁１４ｃの内面と第２ロックカバー２２の内部傾斜壁２２ｅの内面とが当接する。
さらに、第１ロックカバー１４の両側壁１４ａが第２ロックカバー２２の両側壁２２ａに外嵌されると共に、第１ロックカバー１４の突出壁１４ｃが第２ロックカバー２２内に上面開口から挿入され、第２ロックカバー２２の両側壁２２ａが第１ロックカバー１４の突出壁１４ｃに設けた切欠１４ｅに挿入される。また、第１ロックカバー１４の突出壁１４ｃに突設したリブ１４ｄが第２電気接続箱２０のケース側壁に設けた溝２４に嵌合される。
【００１９】
前記構成によれば、第２電気接続箱２０を第１電気接続箱１０に対して傾斜させた状態でロック結合したとき、第２ロックカバー２２のリブ２２ｆの先端縁２２ｆ−１を第１ロックカバー１４内の垂直壁１４ｆに当接させると共に、第２ロックカバー２２の内部傾斜壁２２ｅの内面を第１ロックカバー１４の突出壁１４ｃの内面と当接させて、第２ロックカバー２２の突出側壁２２ｃを第１電気接続箱１０のケース外面１１ａと突出壁１４ｃとで挟持している。よって、第１、第２ロックカバー１４、２２に対して上下方向へガタつくことなく安定した状態で第１電気接続箱１０と第２電気接続箱２０とを連結することができる。
【００２０】
また、第１ロックカバー１４の両側壁１４ａが第２ロックカバー２２の両側壁２２ａに外嵌されると共に、第２ロックカバー２２の両側壁２２ａが第１ロックカバー１４の突出壁１４ｃに設けた切欠１４に挿入され、かつ、第１ロックカバー１４の突出壁１４ｃに突設したリブ１４ｄが第２電気接続箱２０のケース側壁に設けた溝２４に嵌合されるため、第１、第２ロックカバー１４、２２に対して左右方向へガタつくことなく安定した状態で第１電気接続箱１０と第２電気接続箱２０とを連結することができる。
なお、本実施形態では、第１電気接続箱を垂直配置、第２電気接続箱を傾斜させた状態で配置しているが、第１電気接続箱と第２電気接続箱を共に傾斜させた状態で配置してもよい。
【図面の簡単な説明】
【００２１】
【図１】本発明の実施形態の第１電気接続箱と第２電気接続箱とを連結した状態を示す図面である。
【図２】第１電気接続箱と第２電気接続箱とを連結する前の状態を示す図面である。
【図３】第１電気接続箱の第１ロックカバーを示し、（Ａ）は側方から見た斜視図、（Ｂ）は下方から見た斜視図である。
【図４】第２電気接続箱の第２ロックカバーの斜視図である。
【図５】第１ロックカバーと第２ロックカバーとを嵌合させた状態を示し、（Ａ）はロック爪を通る断面図、（Ｂ）は第２ロックカバーの両側壁を通る断面図である。
【図６】（Ａ）（Ｂ）は従来例を示す図面である。
【符号の説明】
【００２２】
１０  第１電気接続箱
１１  ケース本体
１１ａ  ケース外面
１３  ロック爪
１４  第１ロックカバー
１４ａ  両側壁
１４ａ−１  先端縁
１４ｂ  上壁
１４ｃ  突出壁
１４ｄ  リブ
２０  第２電気接続箱
２１  ケース本体
２１ａ  ケース外面
２２  第２ロックカバー
２２ａ  両側壁
２２ａ−１  先端縁
２２ｂ  底壁
２２ｃ  突出側壁
２２ｅ  内部傾斜壁
２２ｆ  リブ
２２ｇ  被ロック爪
【図１】
2006280032.tif 000003
【図２】
2006280032.tif 000004
【図３】
2006280032.tif 000005
【図４】
2006280032.tif 000006
【図５】
2006280032.tif 000007
【図６】
2006280032.tif 000008